(57)【要約】【課題】ＯＦＤＭ信号受信装置において、ガード期間長を超える遅延時間のマルチパス干渉をキャンセルする際、キャンセル可能な遅延時間を拡大する。【解決手段】入力信号からマルチパス干渉成分を減じる減算器と、マルチパス干渉成分を生成するフィルタ手段と、減算器の入出力における系の伝送路特性を推定する第１及び第２の伝送路特性推定部と、それらの出力からキャンセル残差を算出する残差算出手段と、その出力を時間領域へと変換するＩＦＦＴ手段と、その出力からフィルタ手段の係数を生成する係数更新手段とを備え、伝送路特性推定部では、データキャリアを硬判定し再変調したものをリファレンスとして伝送路特性を算出する。【選択図】　図１
2004104558.tif 000002
【特許請求の範囲】
【請求項１】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段とを備え、
前記第２の伝送路特性推定部は、
時間領域の信号である前記減算器の入力を周波数領域の信号へと変換する第２のＦＦＴ手段と、
前記第２のＦＦＴ手段の出力に含まれるパイロットキャリアを規定の振幅と位相を有するパイロット信号で除することにより、前記パイロットキャリアに対する伝送路特性を推定する第４の除算手段と、
前記第４の除算手段の出力を補間し、信号帯域全体に対する伝送路特性を推定する第２の補間手段とを備える
ことを特徴とするＯＦＤＭ信号受信装置。
【請求項２】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記フィルタリング手段の伝達関数Ｗ（ω）を算出する伝達関数算出部と、
前記第１の伝送路特性推定部の出力及び前記伝達関数算出部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段とを備え、
前記伝達関数算出部は、係数更新手段の出力を周波数領域の信号へと変換する第２のＦＦＴ手段を備える
ことを特徴とするＯＦＤＭ信号受信装置。
【請求項３】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段と、
パイロットキャリアに対しては、前記第１の除算手段の出力を選択し、他のキャリアに関しては前記第３の除算手段の出力を選択し、出力する選択手段とを備え、
前記第２の伝送路特性推定部は、
時間領域の信号である前記減算器の入力を周波数領域の信号へと変換する第２のＦＦＴ手段と、
前記第２のＦＦＴ手段の出力に含まれるパイロットキャリアを規定の振幅と位相を有するパイロット信号で除することにより、前記パイロットキャリアに対する伝送路特性を推定する第４の除算手段と、
前記第４の除算手段の出力を補間し、信号帯域全体に対する伝送路特性を推定する第２の補間手段とを備える
ことを特徴とするＯＦＤＭ信号受信装置。
【請求項４】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記フィルタリング手段の伝達関数Ｗ（ω）を算出する伝達関数算出部と、
前記第１の伝送路特性推定部の出力及び前記伝達関数算出部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段と、
パイロットキャリアに対しては、前記第１の除算手段の出力を選択し、他のキャリアに関しては前記第３の除算手段の出力を選択し、出力する選択手段とを備え、
前記伝達関数算出部は、係数更新手段の出力を周波数領域の信号へと変換する第２のＦＦＴ手段を備える
ことを特徴とするＯＦＤＭ信号受信装置。
【請求項５】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段と、
前記第１の除算手段の出力を補間し、信号帯域全体に対する伝送路特性を推定する第２の補間手段と、
前記第３の除算手段が出力する伝送路特性の信頼性を算出する信頼性算出手段と、
前記信頼性算出手段の出力に応じて、前記第２の補間手段の出力と、前記第３の除算手段の出力とを重み付け加算して出力する合成手段とを備え、
前記第２の伝送路特性推定部は、
時間領域の信号である前記減算器の入力を周波数領域の信号へと変換する第２のＦＦＴ手段と、
前記第２のＦＦＴ手段の出力に含まれるパイロットキャリアを規定の振幅と位相を有するパイロット信号で除することにより、前記パイロットキャリアに対する伝送路特性を推定する第４の除算手段と、
前記第４の除算手段の出力を補間し、信号帯域全体に対する伝送路特性を推定する第３の補間手段とを備える
ことを特徴とするＯＦＤＭ信号受信装置。
【請求項６】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記フィルタリング手段の伝達関数Ｗ（ω）を算出する伝達関数算出部と、
前記第１の伝送路特性推定部の出力及び前記伝達関数算出部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段と、
前記第１のＦＦＴ手段の出力を前記第１の補間手段の出力で除することにより、伝送路歪の影響を補償する第２の除算手段と、
前記第２の除算手段の出力を各々のキャリアの変調方式に応じた閾値群で弁別する判定手段と、
前記判定手段の出力を各々のキャリアに応じた変調方式で再度変調する変調手段と、
前記第１のＦＦＴ手段の出力を前記変調手段の出力で除することにより、信号帯域全体に対する伝送路特性を推定する第３の除算手段と、
前記第１の除算手段の出力を補間し、信号帯域全体に対する伝送路特性を推定する第２の補間手段と、
前記第３の除算手段が出力する伝送路特性の信頼性を算出する信頼性算出手段と、
前記信頼性算出手段の出力に応じて、前記第２の補間手段の出力と、前記第３の除算手段の出力とを重み付け加算して出力する合成手段とを備え、
前記伝達関数算出部は、係数更新手段の出力を周波数領域の信号へと変換する第２のＦＦＴ手段を備える
ことを特徴とするＯＦＤＭ信号受信装置。
【請求項７】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段とを備え、
前記第２の伝送路特性推定部は、
時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、
前記第２のＦＦＴ手段の出力に含まれるパイロットキャリアを規定の振幅と位相を有するパイロット信号で除することにより、前記パイロットキャリアに対する伝送路特性を推定する第２の除算手段と、
前記第２の除算手段の出力を補間し、信号帯域全体に対する伝送路特性を推定する第２の補間手段と、
前記第２のＦＦＴ手段の出力を前記第２の補間手段の出力で除することにより、伝送路歪の影響を補償する第３の除算手段と、
前記第３の除算手段の出力を各々のキャリアの変調方式に応じた閾値群で弁別する判定手段と、
前記判定手段の出力を各々のキャリアに応じた変調方式で再度変調する変調手段と、
前記第２のＦＦＴ手段の出力を前記変調手段の出力で除することにより、信号帯域全体に対する伝送路特性を推定する第４の除算手段とを備える
ことを特徴とするＯＦＤＭ信号受信装置。
【請求項８】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段とを備え、
前記第２の伝送路特性推定部は、
時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、
前記第２のＦＦＴ手段の出力に含まれるパイロットキャリアを規定の振幅と位相を有するパイロット信号で除することにより、前記パイロットキャリアに対する伝送路特性を推定する第２の除算手段と、
前記第２の除算手段の出力を補間し、信号帯域全体に対する伝送路特性を推定する第２の補間手段と、
前記第２のＦＦＴ手段の出力を前記第２の補間手段の出力で除することにより、伝送路歪の影響を補償する第３の除算手段と、
前記第３の除算手段の出力を各々のキャリアの変調方式に応じた閾値群で弁別する判定手段と、
前記判定手段の出力を各々のキャリアに応じた変調方式で再度変調する変調手段と、
前記第２のＦＦＴ手段の出力を前記変調手段の出力で除することにより、信号帯域全体に対する伝送路特性を推定する第４の除算手段と、
パイロットキャリアに対しては、前記第２の除算手段の出力を選択し、他のキャリアに関しては前記第４の除算手段の出力を選択し、出力する選択手段とを備え、
ことを特徴とするＯＦＤＭ信号受信装置。
【請求項９】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、
入力信号からマルチパス干渉成分を減じる減算器と、
前記減算器の出力に対して伝達関数がＷ（ω）で表わされるフィルタリング処理を行うことにより、前記マルチパス干渉成分を生成するフィルタ手段と、
前記減算器の出力において観測される系の伝送路特性Ｚ（ω）を推定する第１の伝送路特性推定部と、
前記減算器の入力において観測される系の伝送路特性Ｆ（ω）を推定する第２の伝送路特性推定部と、
前記第１の伝送路特性推定部の出力及び前記第２の伝送路特性推定部の出力からキャンセル残差を算出する残差算出手段と、
前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、
前記ＩＦＦＴ手段の出力から、前記フィルタ手段の係数を生成する係数更新手段とを備え、
前記第１の伝送路特性推定部は、
時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、
前記第１のＦＦＴ手段の出力に含まれるパイロットキャリアを規定の振幅と位相を有するパイロット信号で除することにより、前記パイロットキャリアに対する伝送路特性を推定する第１の除算手段と、
前記第１の除算手段の出力を補間し、信号帯域全体に対する伝送路特性を推定する第１の補間手段とを備え、
前記第２の伝送路特性推定部は、
時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、
前記第２のＦＦＴ手段の出力に含まれるパイロットキャリアを規定の振幅と位相を有するパイロット信号で除することにより、前記パイロットキャリアに対する伝送路特性を推定する第２の除算手段と、
前記第２の除算手段の出力を補間し、信号帯域全体に対する伝送路特性を推定する第２の補間手段と、
前記第２のＦＦＴ手段の出力を前記第２の補間手段の出力で除することにより、伝送路歪の影響を補償する第３の除算手段と、
前記第３の除算手段の出力を各々のキャリアの変調方式に応じた閾値群で弁別する判定手段と、
前記判定手段の出力を各々のキャリアに応じた変調方式で再度変調する変調手段と、
前記第２のＦＦＴ手段の出力を前記変調手段の出力で除することにより、信号帯域全体に対する伝送路特性を推定する第４の除算手段と、
前記第２の除算手段の出力を補間し、信号帯域全体に対する伝送路特性を推定する第３の補間手段と、
前記第４の除算手段が出力する伝送路特性の信頼性を算出する信頼性算出手段と、
前記信頼性算出手段の出力に応じて、前記第３の補間手段の出力と、前記第４の除算手段の出力とを重み付け加算して出力する合成手段とを備え、
ことを特徴とするＯＦＤＭ信号受信装置。
【請求項１０】
請求項１記載の第２の伝送路特性推定部を請求項７記載の第２の伝送路特性推定部で置き換えたことを特徴とするＯＦＤＭ信号受信装置。
【請求項１１】
請求項１記載の第２の伝送路特性推定部を請求項８記載の第２の伝送路特性推定部で置き換えたことを特徴とするＯＦＤＭ信号受信装置。
【請求項１２】
請求項１記載の第２の伝送路特性推定部を請求項９記載の第２の伝送路特性推定部で置き換えたことを特徴とするＯＦＤＭ信号受信装置。
【請求項１３】
請求項３記載の第２の伝送路特性推定部を請求項７記載の第２の伝送路特性推定部で置き換えたことを特徴とするＯＦＤＭ信号受信装置。
【請求項１４】
請求項３記載の第２の伝送路特性推定部を請求項８記載の第２の伝送路特性推定部で置き換えたことを特徴とするＯＦＤＭ信号受信装置。
【請求項１５】
請求項３記載の第２の伝送路特性推定部を請求項９記載の第２の伝送路特性推定部で置き換えたことを特徴とするＯＦＤＭ信号受信装置。
【請求項１６】
請求項５記載の第２の伝送路特性推定部を請求項７記載の第２の伝送路特性推定部で置き換えたことを特徴とするＯＦＤＭ信号受信装置。
【請求項１７】
請求項５記載の第２の伝送路特性推定部を請求項８記載の第２の伝送路特性推定部で置き換えたことを特徴とするＯＦＤＭ信号受信装置。
【請求項１８】
請求項５記載の第２の伝送路特性推定部を請求項９記載の第２の伝送路特性推定部で置き換えたことを特徴とするＯＦＤＭ信号受信装置。
【発明の詳細な説明】
【０００１】
【発明の属する技術分野】
本発明は、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置に係り、特に、ガード期間長を超える遅延時間のマルチパス干渉が存在する場合に発生するシンボル間干渉の影響を軽減する受信装置に関する。
【０００２】
【従来の技術】
ＯＦＤＭ伝送方式は、伝送するデジタルデータによって互いに直交する多数のキャリアを変調し、それらの変調波を多重して伝送する方式である。ＯＦＤＭ伝送方式においては、使用するキャリアの数を数百から数千と多くするとシンボル時間が極めて長くなることに加え、有効シンボル期間後部の信号の複製をガード期間信号として有効シンボル期間の前に付加することにより、マルチパス干渉の影響を受けにくいという特徴を有している。
【０００３】
しかしながら、ガード期間長を超える遅延時間のマルチパス干渉が存在する場合、シンボル間干渉が生じ、受信性能が劣化する。
【０００４】
信号処理によりマルチパス伝送路の伝送路特性を推定し、これを打ち消すようにトランスバーサルフィルタのフィルタ係数を制御することで、マルチパス干渉をキャンセルする手法が考案されている（例えば、特許文献１及び特許文献２参照）。
【０００５】
以下、本発明に係る従来技術に関して、図面を用いて説明する。
【０００６】
図１６は、上記文献および本発明において前提としている伝送方式のパイロット信号配置を示す模式図であり、欧州の地上デジタル放送方式であるＤＶＢ−Ｔ（Ｄｉｇｉｔａｌ　Ｖｉｄｅｏ　Ｂｒｏａｄｃａｓｔｉｎｇ　−　Ｔｅｒｒｅｓｔｒｉａｌ）方式や、日本の地上デジタル放送方式であるＩＳＤＢ−Ｔ（Ｉｎｔｅｇｒａｔｅｄ　Ｓｅｒｖｉｃｅｓ　Ｄｉｇｉｔａｌ　Ｂｒｏａｄｃａｓｔｉｎｇ　−　Ｔｅｒｒｅｓｔｒｉａｌ）方式が、これに該当する。
【０００７】
図１６中の白丸は、制御情報（ＤＶＢ−ＴにおけるＴＰＳ（Ｔｒａｎｓｍｉｓｓｉｏｎ　Ｐａｒａｍｅｔｅｒ　Ｓｉｇｎａｌｉｎｇ）や、ＩＳＤＢ−ＴにおけるＴＭＣＣ（Ｔｒａｎｓｍｉｓｓｉｏｎ　Ｍｕｌｔｉｐｌｅｘｉｎｇ　Ｃｏｎｆｉｇｕｒａｔｉｏｎ　Ｃｏｎｔｒｏｌ））や付加情報（ＩＳＤＢ−ＴにおけるＡＣ（Ａｕｘｉｌｉａｒｙ　Ｃｈａｎｎｅｌ））を含めたデータキャリアであり、黒丸は分散的に配置されたパイロットキャリア（ＳＰ（Ｓｃａｔｔｅｒｅｄ　Ｐｉｌｏｔ））である。
【０００８】
また図１６において、横軸（周波数軸）のｋはキャリアのインデックスを表わし、縦軸（時間軸）のｉはシンボルのインデックスを表わす。このときＳＰ信号は、次の（数１）を満たすインデックスｋ＝ｋｐのキャリアを用いて伝送される（ただし、式中のｍｏｄは剰余演算を表わし、ｐは非負整数である。）。
【０００９】
【数１】
2004104558.tif 000003
【００１０】
また、ＳＰ信号は擬似ランダム符号系列に基づいて変調されており、その振幅及び位相は、配置されるキャリアのインデックスｋのみによって決定され、シンボルのインデックスｉには依存しない。
【００１１】
図１１は、本発明に係るＯＦＤＭ信号受信装置２の構成例を示すブロック図である。
【００１２】
図１１において、アンテナ１により受信された信号は、ＯＦＤＭ信号受信装置２内部のチューナ２１に供給される。
【００１３】
チューナ２１は、アンテナから供給される受信信号に対して、所望のサービスを含むＯＦＤＭ信号の抽出、ＲＦ（Ｒａｄｉｏ　Ｆｒｅｑｕｅｎｃｙ：無線周波数）帯域からＩＦ（Ｉｎｔｅｒｍｅｄｉａｔｅ　Ｆｒｅｑｕｅｎｃｙ：中間周波数）帯域への周波数変換、ゲイン調整等を行うもので、その出力はＯＦＤＭ信号復調部２２に供給される。
【００１４】
ＯＦＤＭ信号復調部２２は、チューナ２１の出力を復調し、伝送されたデジタルデータを復元するもので、その出力は誤り訂正復号部２３に供給される。
【００１５】
誤り訂正復号部２３は、ＯＦＤＭ信号復調部２２の出力に対して誤り訂正復号処理を施し、伝送路において加えられた外乱等に起因する伝送誤りを訂正するもので、その出力は情報源復号部２４に供給される。
【００１６】
情報源復号部２４は、誤り訂正復号部２３の出力を、映像、音声等のデータに分離した後、データ伸張処理を施すもので、その出力はサービス提示部２５に供給される。
【００１７】
サービス提示部は、情報源復号部２４の出力の内、映像情報をＣＲＴ（Ｃａｔｈｏｄｅ　Ｒａｙ　Ｔｕｂｅ：陰極線管）等に表示し、音声情報をスピーカ等より出力することにより、所望のサービスを利用者に提供するものである。
【００１８】
図１４は、特許文献１に開示されているＯＦＤＭ信号受信装置中のＯＦＤＭ信号復調部２２ａの構成を示すブロック図である。
【００１９】
図１４において、直交復調回路２２０１は、チューナ２１の出力を直交復調することにより、ＩＦ帯域から基底帯域（以下、ベースバンド）へ周波数変換するとともに、実信号をＩ（Ｉｎ　ｐｈａｓｅ：同相）軸成分とＱ（Ｑｕａｄｒａｔｕｒｅ　ｐｈａｓｅ：直交位相）軸成分とからなる複素数信号に変換するもので、その出力は減算器２２０２の第１の入力及びＦＦＴ（Ｆｉｒｓｔ　Ｆｏｕｒｉｅｒ　Ｔｒａｎｓｆｏｒｍ：高速フーリエ変換）回路２２０８ａに供給される。
【００２０】
減算器２２０２は、直交復調回路２２０１の出力からＦＩＲフィルタ２２０３の出力を減じることにより、マルチパス干渉を打ち消すもので、その出力はＦＩＲフィルタ２２０３の第１の入力及びＦＦＴ回路２２０４に供給される。
【００２１】
ＦＩＲフィルタ２２０３は、係数更新回路２２１４から供給されるフィルタ係数に基づき減算器２２０２の出力にフィルタリング処理を施すもので、その出力は減算器２２０２の第２の入力に供給される。
【００２２】
ＦＦＴ（Ｆｉｒｓｔ　Ｆｏｕｒｉｅｒ　Ｔｒａｎｓｆｏｒｍ：高速フーリエ変換）回路２２０４、ＳＰ発生回路２２０５、複素除算回路２２０６、及び補間回路２２０７で構成されるブロックは、減算器２２０２の出力において観測される系の伝送路特性Ｚ（ω）を推定するもの（伝送路特性推定部）で、その具体的な構成を以下に説明する。
【００２３】
ＦＦＴ回路２２０４は、減算器２２０２の出力から有効シンボル期間長分の信号を切り出し、ＦＦＴすることにより、時間領域から周波数領域に変換するもので、その出力は複素除算回路２２０６の第１の入力及び複素除算回路２２１５の第１の入力に供給される。
【００２４】
ＳＰ発生回路２２０５は、ＦＦＴ回路２２０４の出力に同期して、その振幅と位相が既知である規定のＳＰ信号を発生するもので、その出力は複素除算回路２２０６の第２の入力に供給される。
【００２５】
複素除算回路２２０６は、ＦＦＴ回路２２０４の出力に含まれる受信ＳＰ信号をＳＰ発生回路２２０５の出力で除することにより、ＳＰ信号が配置されたキャリアに対する伝送路特性を求めるもので、その出力Ｚｐ（ω）は補間回路２２０７に供給される。
【００２６】
補間回路２２０７は、複素除算回路２２０６の出力Ｚｐ（ω）を補間し、信号帯域全体に対する伝送路特性を推定するもので、その出力Ｚ０（ω）は残差算出回路２２１２ａの第１の入力及び複素除算回路２２１５の第２の入力に供給される。
【００２７】
一方、ＦＦＴ回路２２０８ａ、ＳＰ発生回路２２０９、複素除算回路２２１０、及び補間回路２２１１で構成されるブロックは、減算器２２０２の入力において観測される系の伝送路特性Ｆ（ω）を推定するもの（伝送路特性推定部）で、その具体的な構成を以下に説明する。
【００２８】
ＦＦＴ回路２２０８ａは、直交復調回路２２０１の出力から有効シンボル期間長分の信号を切り出し、ＦＦＴすることにより、時間領域から周波数領域に変換するもので、その出力は複素除算回路２２１０の第１の入力に供給される。
【００２９】
ＳＰ発生回路２２０９は、ＦＦＴ回路２２０８ａの出力に同期して、その振幅と位相が既知である規定のＳＰ信号を発生するもので、その出力は複素除算回路２２１０の第２の入力に供給される。
【００３０】
複素除算回路２２１０は、ＦＦＴ回路２２０８ａの出力に含まれる受信ＳＰ信号をＳＰ発生回路２２０９の出力で除することにより、ＳＰ信号が配置されたキャリアに対する伝送路特性を求めるもので、その出力Ｆｐ（ω）は補間回路２２１１に供給される。
【００３１】
補間回路２２１１は、複素除算回路２２１０の出力Ｆｐ（ω）を補間し、信号帯域全体に対する伝送路特性を推定するもので、その出力Ｆ０（ω）は残差算出回路２２１２ａの第２の入力に供給される。
【００３２】
次に、残差算出回路２２１２ａは、補間回路２２０７の出力Ｚ０（ω）及び補間回路２２１１の出力Ｆ０（ω）からキャンセル残差Ｅ（ω）を算出するもので、その出力はＩＦＦＴ回路２２１３に供給される。
【００３３】
ＩＦＦＴ回路２２１３は、残差算出回路２２１２ａの出力Ｅ（ω）をＩＦＦＴすることにより、周波数領域での残差Ｅ（ω）を時間領域での残差ｅ（ｔ）に変換するもので、その出力は係数更新回路２２１４に供給される。
【００３４】
係数更新回路２２１４は、ＩＦＦＴ回路２２１３の出力ｅ（ｔ）から、所定の係数更新式に基づいてフィルタ係数ｗ（ｔ）を算出するもので、その出力はＦＩＲフィルタ２２０３の第２の入力に供給される。
【００３５】
複素除算回路２２１５は、ＦＦＴ回路２２０４の出力を補間回路２２０７の出力Ｚ０（ω）で除することにより、信号が伝送路で受けた振幅及び位相の歪を補償するもので、その出力は判定回路２２１６に供給される。
【００３６】
判定回路２２１６は、複素除算回路２２１５の出力をそれぞれのキャリアの変調方式に対応した閾値群で弁別することにより、伝送されたデジタルデータを復元するもので、その出力はＯＦＤＭ信号復調部２２ａの出力として誤り訂正復号部２３に供給される。
【００３７】
次に、図１４の減算器２２０２においてマルチパス干渉成分が打ち消される条件について説明する。
【００３８】
まず、マルチパス伝送路の伝達関数をＨ（ω）とすると、減算器２２０２の入力において観測される系の伝送路特性Ｆ（ω）は（数２）で表される。
【００３９】
【数２】
2004104558.tif 000004
【００４０】
また、ＦＩＲフィルタ２２０３の伝達関数はフィルタ係数ｗ（ｔ）のフーリエ変換対であり、これをＷ（ω）とすると、減算器２２０２の出力において観測される系の伝送路特性Ｚ（ω）は（数３）で表される。
【００４１】
【数３】
2004104558.tif 000005
【００４２】
（数３）より、マルチパス干渉成分が打ち消される条件は（数４）となるので、
【００４３】
【数４】
2004104558.tif 000006
【００４４】
キャンセル残差Ｅ（ω）を（数５）のように定義し、
【００４５】
【数５】
2004104558.tif 000007
【００４６】
（数５）に（数２）及び（数３）を代入し、Ｅ（ω）をＦ（ω）及びＺ（ω）で表わすと、（数６）が得られる。
【００４７】
【数６】
2004104558.tif 000008
【００４８】
残差算出回路２２１２ａは、（数６）のＺ（ω）としては補間回路２２０７の出力Ｚ０（ω）を用い、Ｆ（ω）としては補間回路２２１１の出力Ｆ０（ω）を用いることにより、キャンセル残差Ｅ（ω）を算出する。
【００４９】
さらに、係数更新回路２２１４での係数更新式を（数７）で定義する。
【００５０】
【数７】
2004104558.tif 000009
【００５１】
ただし、（数７）中のｗ＿ｏｌｄ（ｔ）は更新前の係数、μは１以下の定数である。
【００５２】
以上の構成によって、図１４のＯＦＤＭ信号復調部２２ａにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【００５３】
図１５は、特許文献２に開示されているＯＦＤＭ信号受信装置中のＯＦＤＭ信号復調部２２ｂの構成を示すブロック図である。
【００５４】
図１５に示すＯＦＤＭ信号復調部２２ｂは、減算器２２０２の入力において観測される系の伝送路特性Ｆ（ω）の代わりに、ＦＩＲフィルタ２２０３の伝達関数Ｗ（ω）を用いてキャンセル残差を求める点で、図１４に示すＯＦＤＭ信号復調部２２ａと相違する。
【００５５】
図１５において、補間回路２２０７の出力Ｚ０（ω）は残差算出回路２２１２ｂの第１の入力及び複素除算回路２２１５の第２の入力に供給される。
【００５６】
ＦＦＴ回路２２０８ｂは、係数更新回路２２１４の出力ｗ（ｔ）をＦＦＴすることにより、ＦＩＲフィルタ２２０３の伝達関数Ｗ（ω）を算出するもので、その出力は残差算出回路２２１２ｂの第２の入力に供給される。
【００５７】
残差算出回路２２１２ｂは、補間回路２２０７の出力Ｚ０（ω）及びＦＦＴ回路２２０８ｂの出力Ｗ（ω）からキャンセル残差Ｅ（ω）を算出するもので、その出力はＩＦＦＴ回路２２１３に供給される。他の構成及び動作は、図１４と同一であるので説明を省略する。
【００５８】
次に、図１５の減算器２２０２においてマルチパス干渉成分が打ち消される条件について説明する。
【００５９】
図１５においても、図１４と同様に（数２）乃至（数５）が成立するので、（数５）に（数２）及び（数３）を代入し、Ｅ（ω）をＷ（ω）及びＺ（ω）で表わすと、（数８）が得られる。
【００６０】
【数８】
2004104558.tif 000010
【００６１】
残差算出回路２２１２ｂは、（数８）のＺ（ω）としては補間回路２２０７の出力Ｚ０（ω）を用い、Ｗ（ω）としてはＦＦＴ回路２２０８ｂの出力を用いることにより、キャンセル残差Ｅ（ω）を算出する。
【００６２】
以上の構成によって、図１４のＯＦＤＭ信号復調部２２ｂにおいても、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【００６３】
【特許文献１】
特開２００１−２９１１２０号公報
【特許文献２】
特開２００２−１１１６２５号公報
【００６４】
【発明が解決しようとする課題】
前述のような従来のＯＦＤＭ信号受信装置において、ＦＦＴ回路２２０４、ＳＰ発生回路２２０５、複素除算回路２２０６、及び補間回路２２０７で構成されるブロック（伝送路特性推定部）が、減算器２２０２の出力において観測される系の伝送路特性Ｚ（ω）を推定する際、あるいは、ＦＦＴ回路２２０８ａ、ＳＰ発生回路２２０９、複素除算回路２２１０、及び補間回路２２１１で構成されるブロック（伝送路特性推定部）が、減算器２２０２の入力において観測される系の伝送路特性Ｆ（ω）を推定する際、４シンボル分のＳＰ信号を用いて伝送路特性を推定すると、ＳＰ信号が配置されたキャリアの間隔は３となる。
【００６５】
このときナイキストの標本化定理により、遅延時間が１有効シンボル期間の１／３以下の範囲に含まれるマルチパス成分のみ伝送路特性の推定可能であり、それを超える遅延時間のマルチパス成分はキャンセルすることができず、受信性能が劣化する。
【００６６】
そこで本発明は、上記の問題を解決し、キャンセル可能な遅延時間の拡大を実現するＯＦＤＭ信号受信装置を提供することを目的とする。
【００６７】
【課題を解決するための手段】
上記の課題を解決するために、本発明に係わるＯＦＤＭ信号受信装置は、以下のように構成される。
【００６８】
（１）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段とを具備して構成され、前記第２の伝送路特性推定部は、時間領域の信号である前記減算器の入力を周波数領域の信号へと変換する第２のＦＦＴ手段と、前記第２のＦＦＴ手段の出力に含まれるパイロットキャリアを規定の振幅と位相を有するパイロット信号で除することにより、前記パイロットキャリアに対する伝送路特性を推定する第４の除算手段と、前記第４の除算手段の出力を補間し、信号帯域全体に対する伝送路特性を推定する第２の補間手段とを具備して構成される。
【００６９】
（２）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記フィルタリング手段の伝達関数Ｗ（ω）を算出する伝達関数算出部と、前記第１の伝送路特性推定部の出力及び前記伝達関数算出部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段とを具備して構成され、前記伝達関数算出部は、係数更新手段の出力を周波数領域の信号へと変換する第２のＦＦＴ手段を具備して構成される。
【００７０】
（３）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段と、パイロットキャリアに対しては、前記第１の除算手段の出力を選択し、他のキャリアに関しては前記第３の除算手段の出力を選択し、出力する選択手段とを具備して構成され、前記第２の伝送路特性推定部は、時間領域の信号である前記減算器の入力を周波数領域の信号へと変換する第２のＦＦＴ手段と、前記第２のＦＦＴ手段の出力に含まれるパイロットキャリアを規定の振幅と位相を有するパイロット信号で除することにより、前記パイロットキャリアに対する伝送路特性を推定する第４の除算手段と、前記第４の除算手段の出力を補間し、信号帯域全体に対する伝送路特性を推定する第２の補間手段とを具備して構成される。
【００７１】
（４）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記フィルタリング手段の伝達関数Ｗ（ω）を算出する伝達関数算出部と、前記第１の伝送路特性推定部の出力及び前記伝達関数算出部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段と、パイロットキャリアに対しては、前記第１の除算手段の出力を選択し、他のキャリアに関しては前記第３の除算手段の出力を選択し、出力する選択手段とを具備して構成され、前記伝達関数算出部は、係数更新手段の出力を周波数領域の信号へと変換する第２のＦＦＴ手段を具備して構成される。
【００７２】
（５）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段と、前記第１の除算手段の出力を補間し、信号帯域全体に対する伝送路特性を推定する第２の補間手段と、前記第３の除算手段が出力する伝送路特性の信頼性を算出する信頼性算出手段と、前記信頼性算出手段の出力に応じて、前記第２の補間手段の出力と、前記第３の除算手段の出力とを重み付け加算して出力する合成手段とを具備して構成され、前記第２の伝送路特性推定部は、時間領域の信号である前記減算器の入力を周波数領域の信号へと変換する第２のＦＦＴ手段と、前記第２のＦＦＴ手段の出力に含まれるパイロットキャリアを規定の振幅と位相を有するパイロット信号で除することにより、前記パイロットキャリアに対する伝送路特性を推定する第４の除算手段と、前記第４の除算手段の出力を補間し、信号帯域全体に対する伝送路特性を推定する第３の補間手段とを具備して構成される。
【００７３】
（６）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記フィルタリング手段の伝達関数Ｗ（ω）を算出する伝達関数算出部と、前記第１の伝送路特性推定部の出力及び前記伝達関数算出部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段と、前記第１のＦＦＴ手段の出力を前記第１の補間手段の出力で除することにより、伝送路歪の影響を補償する第２の除算手段と、前記第２の除算手段の出力を各々のキャリアの変調方式に応じた閾値群で弁別する判定手段と、前記判定手段の出力を各々のキャリアに応じた変調方式で再度変調する変調手段と、前記第１のＦＦＴ手段の出力を前記変調手段の出力で除することにより、信号帯域全体に対する伝送路特性を推定する第３の除算手段と、前記第１の除算手段の出力を補間し、信号帯域全体に対する伝送路特性を推定する第２の補間手段と、前記第３の除算手段が出力する伝送路特性の信頼性を算出する信頼性算出手段と、前記信頼性算出手段の出力に応じて、前記第２の補間手段の出力と、前記第３の除算手段の出力とを重み付け加算して出力する合成手段とを具備して構成され、前記伝達関数算出部は、係数更新手段の出力を周波数領域の信号へと変換する第２のＦＦＴ手段を具備して構成される。
【００７４】
（７）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段とを具備して構成され、前記第２の伝送路特性推定部は、時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、前記第２のＦＦＴ手段の出力に含まれるパイロットキャリアを規定の振幅と位相を有するパイロット信号で除することにより、前記パイロットキャリアに対する伝送路特性を推定する第２の除算手段と、前記第２の除算手段の出力を補間し、信号帯域全体に対する伝送路特性を推定する第２の補間手段と、前記第２のＦＦＴ手段の出力を前記第２の補間手段の出力で除することにより、伝送路歪の影響を補償する第３の除算手段と、前記第３の除算手段の出力を各々のキャリアの変調方式に応じた閾値群で弁別する判定手段と、前記判定手段の出力を各々のキャリアに応じた変調方式で再度変調する変調手段と、前記第２のＦＦＴ手段の出力を前記変調手段の出力で除することにより、信号帯域全体に対する伝送路特性を推定する第４の除算手段とを具備して構成される。
【００７５】
（８）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを備え、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段とを具備して構成され、前記第２の伝送路特性推定部は、時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、前記第２のＦＦＴ手段の出力に含まれるパイロットキャリアを規定の振幅と位相を有するパイロット信号で除することにより、前記パイロットキャリアに対する伝送路特性を推定する第２の除算手段と、前記第２の除算手段の出力を補間し、信号帯域全体に対する伝送路特性を推定する第２の補間手段と、前記第２のＦＦＴ手段の出力を前記第２の補間手段の出力で除することにより、伝送路歪の影響を補償する第３の除算手段と、前記第３の除算手段の出力を各々のキャリアの変調方式に応じた閾値群で弁別する判定手段と、前記判定手段の出力を各々のキャリアに応じた変調方式で再度変調する変調手段と、前記第２のＦＦＴ手段の出力を前記変調手段の出力で除することにより、信号帯域全体に対する伝送路特性を推定する第４の除算手段と、パイロットキャリアに対しては、前記第２の除算手段の出力を選択し、他のキャリアに関しては前記第４の除算手段の出力を選択し、出力する選択手段とを具備して構成される。
【００７６】
（９）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）伝送方式を用いて伝送された信号を受信する受信装置であって、入力信号からマルチパス干渉成分を減じる減算器と、前記減算器の出力に対して伝達関数がＷ（ω）で表わされるフィルタリング処理を行うことにより、前記マルチパス干渉成分を生成するフィルタ手段と、前記減算器の出力において観測される系の伝送路特性Ｚ（ω）を推定する第１の伝送路特性推定部と、前記減算器の入力において観測される系の伝送路特性Ｆ（ω）を推定する第２の伝送路特性推定部と、前記第１の伝送路特性推定部の出力及び前記第２の伝送路特性推定部の出力からキャンセル残差を算出する残差算出手段と、前記残差算出手段の出力を、時間領域の信号に変換するＩＦＦＴ（Ｉｎｖｅｒｓｅ　Ｆａｓｔ　Ｆｏｕｒｉｅｒ　Ｔｒａｎｓｆｏｒｍ：逆高速フーリエ変換）手段と、前記ＩＦＦＴ手段の出力から、前記フィルタ手段の係数を生成する係数更新手段とを具備して構成され、前記第１の伝送路特性推定部は、時間領域の信号である前記減算器の出力を周波数領域の信号へと変換する第１のＦＦＴ（Ｆａｓｔ　Ｆｏｕｒｉｅｒ　Ｔｒａｎｓｆｏｒｍ：高速フーリエ変換）手段と、前記第１のＦＦＴ手段の出力に含まれるパイロットキャリアを規定の振幅と位相を有するパイロット信号で除することにより、前記パイロットキャリアに対する伝送路特性を推定する第１の除算手段と、前記第１の除算手段の出力を補間し、信号帯域全体に対する伝送路特性を推定する第１の補間手段とを備え、前記第２の伝送路特性推定部は、時間領域の信号である前記減算器の出力を周波数領域の信号へと変換する第２のＦＦＴ（Ｆａｓｔ　Ｆｏｕｒｉｅｒ　Ｔｒａｎｓｆｏｒｍ：高速フーリエ変換）手段と、前記第２のＦＦＴ手段の出力に含まれるパイロットキャリアを規定の振幅と位相を有するパイロット信号で除することにより、前記パイロットキャリアに対する伝送路特性を推定する第２の除算手段と、前記第２の除算手段の出力を補間し、信号帯域全体に対する伝送路特性を推定する第２の補間手段と、前記第２のＦＦＴ手段の出力を前記第２の補間手段の出力で除することにより、伝送路歪の影響を補償する第３の除算手段と、前記第３の除算手段の出力を各々のキャリアの変調方式に応じた閾値群で弁別する判定手段と、前記判定手段の出力を各々のキャリアに応じた変調方式で再度変調する変調手段と、前記第２のＦＦＴ手段の出力を前記変調手段の出力で除することにより、信号帯域全体に対する伝送路特性を推定する第４の除算手段と、前記第２の除算手段の出力を補間し、信号帯域全体に対する伝送路特性を推定する第３の補間手段と、前記第４の除算手段が出力する伝送路特性の信頼性を算出する信頼性算出手段と、前記信頼性算出手段の出力に応じて、前記第３の補間手段の出力と、前記第４の除算手段の出力とを重み付け加算して出力する合成手段とを具備して構成される。
【００７７】
（１０）（１）の構成における第２の伝送路特性推定部を（７）の構成における第２の伝送路特性推定部で置き換える構成とする。
【００７８】
（１１）（１）の構成における第２の伝送路特性推定部を（８）の構成における第２の伝送路特性推定部で置き換える構成とする。
【００７９】
（１２）（１）の構成における第２の伝送路特性推定部を（９）の構成における第２の伝送路特性推定部で置き換える構成とする。
【００８０】
（１３）（３）の構成における第２の伝送路特性推定部を（７）の構成における第２の伝送路特性推定部で置き換える構成とする。
【００８１】
（１４）（３）の構成における第２の伝送路特性推定部を（８）の構成における第２の伝送路特性推定部で置き換える構成とする。
【００８２】
（１５）（３）の構成における第２の伝送路特性推定部を（９）の構成における第２の伝送路特性推定部で置き換える構成とする。
【００８３】
（１６）（５）の構成における第２の伝送路特性推定部を（７）の構成における第２の伝送路特性推定部で置き換える構成とする。
【００８４】
（１７）（５）の構成における第２の伝送路特性推定部を（８）の構成における第２の伝送路特性推定部で置き換える構成とする。
【００８５】
（１８）（５）の構成における第２の伝送路特性推定部を（９）の構成における第２の伝送路特性推定部で置き換える構成とする。
【００８６】
【発明の実施の形態】
（実施の形態１）
図１は、本発明の実施の形態１におけるＯＦＤＭ信号受信装置２中のＯＦＤＭ信号復調部２２ｃの構成を示すブロック図である。
【００８７】
図１において、直交復調回路２２０１は、チューナ２１の出力を直交復調することにより、ＩＦ帯域からベースバンドへ周波数変換するとともに、実信号をＩ軸成分とＱ軸成分とからなる複素数信号に変換するもので、その出力は減算器２２０２の第１の入力及びＦＦＴ（Ｆｉｒｓｔ　Ｆｏｕｒｉｅｒ　Ｔｒａｎｓｆｏｒｍ：高速フーリエ変換）回路２２０８ａに供給される。
【００８８】
減算器２２０２は、直交復調回路２２０１の出力からＦＩＲフィルタ２２０３の出力を減じることにより、マルチパス干渉を打ち消すもので、その出力はＦＩＲフィルタ２２０３の第１の入力及びＦＦＴ回路２２０４に供給される。
【００８９】
ＦＩＲフィルタ２２０３は、係数更新回路２２１４から供給されるフィルタ係数に基づき減算器２２０２の出力にフィルタリング処理を施すもので、その出力は減算器２２０２の第２の入力に供給される。
【００９０】
ＦＦＴ回路２２０４、ＳＰ発生回路２２０５、複素除算回路２２０６、補間回路２２０７、複素除算回路２２１５、判定回路２２１６、変調回路２２１７、及び複素除算回路２２１８で構成されるブロックは、減算器２２０２の出力において観測される系の伝送路特性Ｚ（ω）を推定するもの（伝送路特性推定部）で、その具体的な構成を以下に説明する。
【００９１】
ＦＦＴ回路２２０４は、減算器２２０２の出力から有効シンボル期間長分の信号を切り出し、ＦＦＴすることにより、時間領域から周波数領域に変換するもので、その出力は複素除算回路２２０６の第１の入力、複素除算回路２２１５の第１の入力、及び複素除算回路２２１８の第１の入力に供給される。
【００９２】
ＳＰ発生回路２２０５は、ＦＦＴ回路２２０４の出力に同期して、その振幅と位相が既知である規定のＳＰ信号を発生するもので、その出力は複素除算回路２２０６の第２の入力に供給される。
【００９３】
複素除算回路２２０６は、ＦＦＴ回路２２０４の出力に含まれる受信ＳＰ信号をＳＰ発生回路２２０５の出力で除することにより、ＳＰ信号が配置されたキャリアに対する伝送路特性を求めるもので、その出力Ｚｐ（ω）は補間回路２２０７に供給される。
【００９４】
補間回路２２０７は、複素除算回路２２０６の出力Ｚｐ（ω）を補間し、信号帯域全体に対する伝送路特性を推定するもので、その出力Ｚ０（ω）は複素除算回路２２１５の第２の入力に供給される。
【００９５】
複素除算回路２２１５は、ＦＦＴ回路２２０４の出力を補間回路２２０７の出力で除することにより、信号が伝送路で受けた振幅及び位相の歪を補償するもので、その出力は判定回路２２１６に供給される。
【００９６】
判定回路２２１６は、複素除算回路２２１５の出力をそれぞれのキャリアの変調方式に対応した閾値群で弁別することにより、伝送されたデジタルデータを復元するもので、その出力は変調回路２２１７に供給されるとともに、ＯＦＤＭ信号復調部２２ｃの出力として誤り訂正復号部２３に供給される。
【００９７】
変調回路２２１７は、判定回路２２１６の出力を再びそれぞれのキャリアの変調方式で変調するもので、その出力は複素除算回路２２１８の第２の入力に供給される。
【００９８】
ここで、前述のＤＶＢ−ＴやＩＳＤＢ−Ｔでは、各々のキャリアの変調方式として、パイロット信号、制御情報、付加情報に対してはＢＰＳＫ（Ｂｉｎａｒｙ　ＰｈａｓｅＳｈｉｆｔ　Ｋｅｙｉｎｇ：２相位相変調）、一般のデータに対してはＱＰＳＫ（Ｑｕａｒｔｅｒｎａｒｙ　Ｐｈａｓｅ　Ｓｈｉｆｔ　Ｋｅｙｉｎｇ：４相位相変調）、１６ＱＡＭ（Ｑｕａｄｒａｔｕｒｅ　Ａｍｐｌｉｔｕｄｅ　Ｍｏｄｕｌａｔｉｏｎ：直交振幅変調）、６４ＱＡＭ等が適用される。
【００９９】
判定回路例２２１６で使用する閾値群の例として、１６ＱＡＭに対する閾値群を図１３に図示する。図中の直線群（Ｉ軸及びＱ軸を含む）が閾値群に相当する。例えば、あるキャリアに対する複素除算回路２２１５の出力が図中の白丸で表わされる場合、この白丸は図中でハッチングを施したエリアに含まれるので、判定回路２２１６及び変調回路２２１７は、白丸に表わされる複素数値を黒丸によって表される複素数値に変換する。
【０１００】
なお図１中には示していないが、判定回路２２１６で使用する各々のキャリアの変調方式は、パイロット信号、制御情報、付加情報に関しては、その配置が既知であるため容易に判別でき、一般のデータに関しては、受信信号中に含まれる制御情報（ＤＶＢ−ＴにおけるＴＰＳやＩＳＤＢ−ＴにおけるＴＭＣＣ）を復調することで得られる。
【０１０１】
特にＩＳＤＢ−Ｔの場合、周波数分割型の階層化伝送方式を採用しており、一般のデータの伝送に関して１つのＯＦＤＭシンボルに最大３種類の変調方式を多重することが可能である。さらに、周波数選択性の妨害（マルチパス妨害や同一チャネル妨害等）によるバースト的な誤りの発生を防ぐ目的で、周波数インターリーブと呼ばれる周波数方向のキャリア配置の入れ替えを行っているため、キャリア毎にそれらの変調方式が入り乱れた状態で伝送される。
【０１０２】
従って、ＩＳＤＢ−Ｔ方式に本発明を適用する場合には、上記周波数インターリーブのパターンに従って、各々のキャリアに対する変調方式を並べ替える必要がある。
【０１０３】
複素除算回路２２１８は、ＦＦＴ回路２２０４の出力を変調回路２２１７の出力で除することにより、全キャリアに対する伝送路特性を求めるもので、その出力Ｚ１（ω）は残差算出回路２２１２ａに入力される。
【０１０４】
一方、ＦＦＴ回路２２０８ａ、ＳＰ発生回路２２０９、複素除算回路２２１０、及び補間回路２２１１で構成されるブロックは、減算器２２０２の入力において観測される系の伝送路特性Ｆ（ω）を推定するもの（伝送路特性推定部）で、その具体的な構成を以下に説明する。
【０１０５】
ＦＦＴ回路２２０８ａは、直交復調回路２２０１の出力から有効シンボル期間長分の信号を切り出し、ＦＦＴすることにより、時間領域から周波数領域に変換するもので、その出力は複素除算回路２２１０の第１の入力に供給される。
【０１０６】
ＳＰ発生回路２２０９は、ＦＦＴ回路２２０８ａの出力に同期して、その振幅と位相が既知である規定のＳＰ信号を発生するもので、その出力は複素除算回路２２１０の第２の入力に供給される。
【０１０７】
複素除算回路２２１０は、ＦＦＴ回路２２０８ａの出力に含まれる受信ＳＰ信号をＳＰ発生回路２２０９の出力で除することにより、ＳＰ信号が配置されたキャリアに対する伝送路特性を求めるもので、その出力Ｆｐ（ω）は補間回路２２１１に供給される。
【０１０８】
補間回路２２１１は、複素除算回路２２１０の出力Ｆｐ（ω）を補間し、信号帯域全体に対する伝送路特性を推定するもので、その出力Ｆ０（ω）は残差算出回路２２１２ａの第２の入力に供給される。
【０１０９】
次に、残差算出回路２２１２ａは、複素除算回路２２１８の出力Ｚ１（ω）及び補間回路２２１１の出力Ｆ０（ω）からキャンセル残差Ｅ（ω）を算出するもので、その出力はＩＦＦＴ回路２２１３に供給される。
【０１１０】
ＩＦＦＴ回路２２１３は、残差算出回路２２１２ａの出力Ｅ（ω）をＩＦＦＴすることにより、周波数領域での残差Ｅ（ω）を時間領域での残差ｅ（ｔ）に変換するもので、その出力は係数更新回路２２１４に供給される。
【０１１１】
係数更新回路２２１４は、ＩＦＦＴ回路２２１３の出力ｅ（ｔ）から、所定の係数更新式に基づいてフィルタ係数ｗ（ｔ）を算出するもので、その出力はＦＩＲフィルタ２２０３の第２の入力に供給される。
【０１１２】
次に、図１の減算器２２０２においてマルチパス干渉成分が打ち消される条件について説明する。
【０１１３】
まず、マルチパス伝送路の伝達関数をＨ（ω）とすると、減算器２２０２の入力において観測される系の伝送路特性Ｆ（ω）は（数９）で表される。
【０１１４】
【数９】
2004104558.tif 000011
【０１１５】
また、ＦＩＲフィルタ２２０３の伝達関数はフィルタ係数ｗ（ｔ）のフーリエ変換対であり、これをＷ（ω）とすると、減算器２２０２の出力において観測される系の伝送路特性Ｚ（ω）は（数１０）で表される。
【０１１６】
【数１０】
2004104558.tif 000012
【０１１７】
（数１０）より、マルチパス干渉成分が打ち消される条件は（数１１）となるので、
【０１１８】
【数１１】
2004104558.tif 000013
【０１１９】
キャンセル残差Ｅ（ω）を（数１２）のように定義し、
【０１２０】
【数１２】
2004104558.tif 000014
【０１２１】
（数１２）に（数９）及び（数１０）を代入し、Ｅ（ω）をＦ（ω）及びＺ（ω）で表わすと、（数１３）が得られる。
【０１２２】
【数１３】
2004104558.tif 000015
【０１２３】
残差算出回路２２１２ａは、（数１３）のＺ（ω）としては複素除算回路２２１８の出力Ｚ１（ω）を用い、Ｆ（ω）としては補間回路２２１１の出力Ｆ０（ω）を用いることにより、キャンセル残差Ｅ（ω）を算出する。
【０１２４】
さらに、係数更新回路２２１４での係数更新式を（数１４）で定義する。
【０１２５】
【数１４】
2004104558.tif 000016
【０１２６】
ただし、（数１４）中のｗ＿ｏｌｄ（ｔ）は更新前の係数、μは１以下の定数である。
【０１２７】
以上の構成によって、図１のＯＦＤＭ信号復調部２２ｃにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【０１２８】
本実施の形態におけるＯＦＤＭ信号受信装置では、ＳＰ信号だけではなく全てのデータキャリアを用いて伝送路特性を推定するために、原理的には１有効シンボル期間と等しい遅延時間を有するマルチパス成分までキャンセルすることが可能となる。
【０１２９】
（実施の形態２）
図２は、本発明の実施の形態２におけるＯＦＤＭ信号受信装置２中のＯＦＤＭ信号復調部２２ｄの構成を示すブロック図である。図２において、図１と同一部分には同一符号を付して示す。
【０１３０】
図２に示すＯＦＤＭ信号復調部２２ｄは、減算器２２０２の入力において観測される系の伝送路特性Ｆ（ω）の代わりに、ＦＩＲフィルタ２２０３の伝達関数Ｗ（ω）を用いてキャンセル残差を求める点で、図１に示すＯＦＤＭ信号復調部２２ｃと相違する。
【０１３１】
図２において、複素除算回路２２１８の出力Ｚ１（ω）は残差算出回路２２１２ｂの第１の入力に供給される。
【０１３２】
ＦＦＴ回路２２０８ｂは、係数更新回路２２１４の出力ｗ（ｔ）をＦＦＴすることにより、ＦＩＲフィルタ２２０３の伝達関数Ｗ（ω）を算出するもので、その出力は残差算出回路２２１２ｂの第２の入力に供給される。
【０１３３】
残差算出回路２２１２ｂは、複素除算回路２２１８の出力Ｚ１（ω）及びＦＦＴ回路２２０８ｂの出力Ｗ（ω）からキャンセル残差Ｅ（ω）を算出するもので、その出力はＩＦＦＴ回路２２１３に供給される。他の構成及び動作は、図１と同一であるので説明を省略する。
【０１３４】
次に、図２の減算器２２０２においてマルチパス干渉成分が打ち消される条件について説明する。
【０１３５】
図２においても、図１と同様に（数９）乃至（数１２）が成立するので、（数１２）に（数９）及び（数１０）を代入し、Ｅ（ω）をＷ（ω）及びＺ（ω）で表わすと、（数１５）が得られる。
【０１３６】
【数１５】
2004104558.tif 000017
【０１３７】
残差算出回路２２１２ｂは、（数１５）のＺ（ω）としては複素除算回路２２１８の出力Ｚ１（ω）を用い、Ｗ（ω）としてはＦＦＴ回路２２０８ｂの出力を用いることにより、キャンセル残差Ｅ（ω）を算出する。
【０１３８】
以上の構成によって、図２のＯＦＤＭ信号復調部２２ｄにおいては、マルチパス伝送路の伝達関数Ｈ（ω）とＦＩＲフィルタ２２０３の伝達関数Ｗ（ω）との差分であるキャンセル残差Ｅ（ω）が、０に収束するようにフィードバック制御が動作し、マルチパス干渉がキャンセルされる。
【０１３９】
また本実施の形態によれば、実施の形態１に比して、ＳＰ発生回路２２０９、複素除算回路２２１０、補間回路２２１１を省略することができ、ハードウェアの規模を削減することができる。
【０１４０】
（実施の形態３）
図３は、本発明の実施の形態３におけるＯＦＤＭ信号受信装置２中のＯＦＤＭ信号復調部２２ｅの構成を示すブロック図である。図３において、図１と同一部分には同一符号を付して示す。
【０１４１】
図３に示すＯＦＤＭ信号復調部２２ｅは、図１におけるＯＦＤＭ信号復調部２２ｃに選択回路２２１９ａを追加したものである。
【０１４２】
図３において、ＦＦＴ回路２２０４、ＳＰ発生回路２２０５、複素除算回路２２０６、補間回路２２０７、複素除算回路２２１５、判定回路２２１６、変調回路２２１７、複素除算回路２２１８、及び選択回路２２１９ａで構成されるブロックは、減算器２２０２の出力において観測される系の伝送路特性Ｚ（ω）を推定するもの（伝送路特性推定部）である。
【０１４３】
選択回路２２１９ａは、複素除算回路２２０６の出力Ｚｐ（ω）を第１の入力、複素除算回路２２１８の出力Ｚ１（ω）を第２の入力とし、その出力Ｚ２（ω）を残差算出回路２２１２ａに供給する。
【０１４４】
選択回路２２１９ａは、ＳＰ信号が伝送されているキャリアに関しては、複素除算回路２２０６の出力Ｚｐ（ω）を出力し、他のデータキャリアに関しては、複素除算回路２２１８の出力Ｚ１（ω）を出力する。
【０１４５】
他の構成及び動作は、図１と同一であるので説明を省略する。
【０１４６】
以上の構成により本実施の形態によれば、判定回路２２１６が判定を誤るような環境においても、パイロットキャリアに関しては正しい伝送路特性を推定することが可能となり、キャンセル動作の安定性を向上することが可能となる。
【０１４７】
（実施の形態４）
図４は、本発明の実施の形態４におけるＯＦＤＭ信号受信装置２中のＯＦＤＭ信号復調部２２ｆの構成を示すブロック図である。図４において、図２及び図３と同一部分には同一符号を付して示す。
【０１４８】
図４に示すＯＦＤＭ信号復調部２２ｆは、減算器２２０２の入力において観測される系の伝送路特性Ｆ（ω）の代わりに、ＦＩＲフィルタ２２０３の伝達関数Ｗ（ω）を用いてキャンセル残差を求める点で、図３に示すＯＦＤＭ信号復調部２２ｅと相違する。
【０１４９】
つまり、図４に示すＯＦＤＭ信号復調部２２ｆと図３に示すＯＦＤＭ信号復調部２２ｅとの関係は、図２に示すＯＦＤＭ信号復調部２２ｄと図１に示すＯＦＤＭ信号復調部２２ｃとの関係と同様であるので、詳細な構成及び動作の説明は省略する。
【０１５０】
以上の構成により本実施の形態によれば、実施の形態３に比して、ＳＰ発生回路２２０９、複素除算回路２２１０、補間回路２２１１を省略することができ、ハードウェアの規模を削減することができる。
【０１５１】
（実施の形態５）
図５は、本発明の実施の形態５におけるＯＦＤＭ信号受信装置２中のＯＦＤＭ信号復調部２２ｇの構成を示すブロック図である。図５において、図１と同一部分には同一符号を付して示す。
【０１５２】
図５に示すＯＦＤＭ信号復調部２２ｅは、図１におけるＯＦＤＭ信号復調部２２ｃに、合成回路２２１９ｂ、補間回路２２２０、及び信頼性算出回路２２２１を追加したものである。
【０１５３】
図５において、ＦＦＴ回路２２０４、ＳＰ発生回路２２０５、複素除算回路２２０６、補間回路２２０７、複素除算回路２２１５、判定回路２２１６、変調回路２２１７、複素除算回路２２１８、合成回路２２１９ｂ、補間回路２２２０、及び信頼性算出回路２２２１で構成されるブロックは、減算器２２０２の出力において観測される系の伝送路特性Ｚ（ω）を推定するもの（伝送路特性推定部）である。
【０１５４】
合成回路２２１９ｂは、補間回路２２２０の出力Ｚ３（ω）を第１の入力、複素除算回路２２１８の出力Ｚ１（ω）を第２の入力、信頼性算出回路２２２１の出力αを第３の入力とし、その出力Ｚ４（ω）を残差算出回路２２１２ａに供給する。
【０１５５】
補間回路２２２０は、複素除算回路２２０６の出力Ｚｐ（ω）を補間し、信号帯域全体に対する伝送路特性を推定するもので、その出力Ｚ３（ω）は合成回路２２１９ｂの第１の入力に供給される。
【０１５６】
信頼性算出回路２２２１は、複素除算回路２２１５の出力を第１の入力、変調回路２２１７の出力を第２の入力とし、その出力αを合成回路２２１９ｂの第３の入力に供給する。他の構成及び動作は、図１と同一であるので説明を省略する。
【０１５７】
信頼性算出回路２２２１は、判定を用いて推定した伝送路特性Ｚ１（ω）の信頼性αを算出し、合成回路２２１９ｂは、信頼性算出回路２２２１の出力αに基づいて、補間回路２２２０の出力Ｚ３（ω）と、複素除算回路２２１８の出力Ｚ１（ω）とを重み付け加算することにより合成伝送路特性Ｚ４（ω）を算出する。これを数式で表すと（数１６）のようになる。
【０１５８】
【数１６】
2004104558.tif 000018
【０１５９】
図８は、信頼性算出回路２２２１の第１の内部構成例を示すブロック図である。
【０１６０】
図８において、減算器２２２１１は、複素除算回路２２１５の出力と変調回路２２１７の出力との差分を算出し、その出力を電力算出回路２２２１２に供給する。電力算出回路２２２１２は、減算器２２２１１の出力の電力を算出し、その出力をシンボル内平均回路２２２１３ａに供給する。シンボル内平均回路２２２１３ａは、電力算出回路２２２１２の出力をシンボル内でキャリア方向に平均化し、その出力を変換回路２２２１４に供給する。変換回路２２２１４はシンボル内平均回路２２２１３ａの出力が大きい場合は、その出力αを小さくし、逆にシンボル内平均回路２２２１３ａの出力が小さい場合は、その出力αを大きくするような変換を施し、その結果を信頼性算出回路２２２１ａの出力として出力する。ここで、αは０≦α≦１を満たすものとする。
【０１６１】
図９は、信頼性算出回路の第２の内部構成例を示すブロック図である。
【０１６２】
図９に示す信頼性算出回路２２２１ｂは、図８における信頼性算出回路２２２１ａのシンボル内平均回路２２２１３ａを、シンボル間平均回路２２２１３ｂに置き換えたものであり、このシンボル間平均回路２２２１３ｂは、電力算出回路２２２１２の出力をシンボル方向に同じ周波数のキャリア同士を平均化する。他の構成及び動作は、図９と同一であるので説明を省略する。
【０１６３】
信頼性算出回路２２２１として、図８の構成を用いた場合の信頼性αはシンボル毎の信頼性を表し、図９の構成を用いた場合の信頼性αはキャリア毎の信頼性を表す。
【０１６４】
なお、信頼性算出回路２２２１としては、補間回路２２０７の出力Ｚ０（ω）の電力を算出し、それをシンボル内あるいはシンボル間で平均し、その平均値が大きい場合はその出力αを大きくし、逆に平均値が小さい場合はその出力αを小さくするような構成も可能である。
【０１６５】
また、複素除算回路２２１５の出力と変調回路２２１７の出力との差分に基づく信頼性と、補間回路２２０７の出力Ｚ０（ω）の電力に基づく信頼性とを算出し、例えば、両者の内の値が低い方を信頼性αとして採用するなど、両者を併用することも可能である。
【０１６６】
また、シンボル内平均とシンボル間平均とを併用し、合成回路２２１９ｂではシンボル毎及びキャリア毎の信頼性αに基づき重み付け加算してもよい。
【０１６７】
また、信頼性αを０または１の２値情報とすれば、合成回路２２１９ｂは選択回路と等価になり、処理を単純化することができる。
【０１６８】
また、本実施の形態では、Ｚ０（ω）を算出するための補間回路２２０７と、Ｚ３（ω）を算出するための補間回路２２２０とを、個別に有する構成としたが、その補間方法が共通である場合は、これらを１つの回路で実現することも可能である。
【０１６９】
さらに、合成回路２２１９ｂの出力に平滑化回路を追加することにより、異なる２つの手法により求められた伝送路特性Ｚ１（ω）とＺ３（ω）とを合成することにより生じる不連続性を緩和することができる。
【０１７０】
以上の構成により本実施の形態によれば、判定回路２２１６が判定を誤るような環境においては、パイロットキャリアのみから推定した伝送路特性を係数の更新に用いることにより、キャンセル動作の安定性を向上することが可能となる。
【０１７１】
（実施の形態６）
図６は、本発明の実施の形態６におけるＯＦＤＭ信号受信装置２中のＯＦＤＭ信号復調部２２ｈの構成を示すブロック図である。図６において、図２及び図５と同一部分には同一符号を付して示す。
【０１７２】
図６に示すＯＦＤＭ信号復調部２２ｈは、減算器２２０２の入力において観測される系の伝送路特性Ｆ（ω）の代わりに、ＦＩＲフィルタ２２０３の伝達関数Ｗ（ω）を用いてキャンセル残差を求める点で、図５に示すＯＦＤＭ信号復調部２２ｇと相違する。
【０１７３】
つまり、図６に示すＯＦＤＭ信号復調部２２ｈと図５に示すＯＦＤＭ信号復調部２２ｇとの関係は、図２に示すＯＦＤＭ信号復調部２２ｄと図１に示すＯＦＤＭ信号復調部２２ｃとの関係と同様であるので、詳細な構成及び動作の説明は省略する。
【０１７４】
以上の構成により本実施の形態によれば、実施の形態５に比して、ＳＰ発生回路２２０９、複素除算回路２２１０、補間回路２２１１を省略することができ、ハードウェアの規模を削減することができる。
【０１７５】
（実施の形態７）
図７は、本発明の実施の形態７におけるＯＦＤＭ信号受信装置２中のＯＦＤＭ信号復調部２２ｉの構成を示すブロック図である。図７において、図１と同一部分には同一符号を付して示す。
【０１７６】
図７に示すＯＦＤＭ信号復調部２２ｉは、図５に示すＯＦＤＭ信号復調部２２ｇにおいて、減算器２２０２の出力にて観測される系の伝送路特性Ｚ（ω）の推定に対して適用した手法を、減算器２２０２の入力にて観測される系の伝送路特性Ｆ（ω）の推定に適用したものである。
【０１７７】
なお、本実施の形態においては、減算器２２０２の入力にて観測される系の伝送路特性Ｆ（ω）の推定に、図５に示すＯＦＤＭ信号復調部２２ｇの手法を適用する場合を例にとり説明したが、図１に示すＯＦＤＭ信号復調部２２ｃ、図３に示すＯＦＤＭ信号復調部２２ｅ等、他の手法を適用してもよいことは言うまでもない。
【０１７８】
同様に、本実施の形態においては、減算器２２０２の出力にて観測される系の伝送路特性Ｚ（ω）の推定に、図１に示すＯＦＤＭ信号復調部２２ｃの手法を適用する場合を例にとり説明したが、図３に示すＯＦＤＭ信号復調部２２ｅ、図５に示すＯＦＤＭ信号復調部２２ｇ等、他の手法を適用してもよいことは言うまでもない。
【０１７９】
この構成により、本実施の形態によれば、減算器２２０２の入力にて観測される系の伝送路特性Ｆ（ω）の推定にもデータキャリアの硬判定結果を用いることで、伝送路特性推定の精度が向上し、キャンセル動作の安定性を向上することが可能となる。
【０１８０】
（実施の形態８）
図１２は、本発明に係るマルチパス除去装置３の構成例を示すブロック図である。マルチパス除去装置３は、マルチパスキャンセル機能を有しない従来のＯＦＤＭ信号受信装置４に前置して接続されるものである。
【０１８１】
図１２において、アンテナ１により受信された信号は、マルチパス除去装置３内部のチューナ３１に供給される。
【０１８２】
チューナ３１は、アンテナから供給される受信信号に対して、所望のサービスを含むＯＦＤＭ信号の抽出、ＲＦ帯域からＩＦ帯域への周波数変換、ゲイン調整等を行うもので、その出力はマルチパス等化部３２に供給される。
【０１８３】
マルチパス等化部３２は、チューナ３１の出力からマルチパス干渉を除去するもので、その出力はアップコンバータ３３に供給される。
【０１８４】
アップコンバータ３３は、マルチパス等化部３２の出力を再びＲＦ帯域に周波数変換するもので、その出力はマルチパス除去装置３の出力として従来のＯＦＤＭ信号受信装置４に供給される。
【０１８５】
図１０は、本発明の実施の形態８におけるマルチパス除去装置３中のマルチパス等化部３２の構成を示すブロック図である。図１０において、図１と同一部分には同一符号を付して示す。
【０１８６】
図１０に示すマルチパス等化部３２は、図１におけるＯＦＤＭ信号復調部２２ｃに、直交変調回路３２０１を追加したものである。
【０１８７】
直交変調回路３２０１は、減算器２２０２の出力を直交変調することにより、ベースバンドからＩＦ帯域へ周波数変換するとともに、Ｉ軸成分とＱ軸成分とからなる複素数信号を実信号に変換するもので、その出力はマルチパス等化部３２の出力としてアップコンバータ３３に供給される。
【０１８８】
他の構成及び動作は、図１と同一であるので説明を省略する。
【０１８９】
この構成により、本実施の形態によれば、ガード期間長を超える遅延時間のマルチパス干渉が存在する場合にでも、マルチパスキャンセル機能を有しない従来のＯＦＤＭ信号受信装置４を使用することが可能となる。
【０１９０】
なお、本発明の実施の形態においては、信号帯域内に分散的に配置されたパイロットキャリアを含む伝送方式を例にとり説明したが、伝送路特性推定するブロック（伝送路特性推定部）の構成を適宜変更することにより、全キャリアの振幅と位相が既知であるパイロットシンボルが存在する伝送方式等、他の種類の伝送方式に対しても適用可能である。
【０１９１】
また、図には示していないが、ＯＦＤＭ信号復調部２２及びマルチパス等化部３２において使用しているデジタル信号処理のためのＡＤ（Ａｎａｌｏｇ　ｔｏ　Ｄｉｇｉｔａｌ：アナログ−デジタル）変換器ならびにＤＡ（Ｄｉｇｉｔａｌ　ｔｏ　Ａｎａｌｏｇ：デジタル−アナログ）変換器の挿入位置は、本発明の原理とは無関係であり、ＡＤ変換器ならびにＤＡ変換器の挿入位置に関わらず同じ原理を適用することができることは言うまでもない。
【０１９２】
最後に、本発明の実施の形態においては、各々の構成要素が個別のハードウェアとして固有の機能を具現化するものとして説明したが、このような実現方法は本発明の原理とは無関係であり、本発明の構成要素の１部あるいは全体を、ＤＳＰ（Ｄｉｇｉｔａｌ　Ｓｉｇｎａｌ　Ｐｒｏｃｅｓｓｏｒ）等の汎用ハードウェア上で実行されるソフトウェアとして具現化してもよいことは言うまでもない。
【０１９３】
【発明の効果】
以上のように本発明によるＯＦＤＭ信号受信装置は、伝送路特性の推定にデータキャリアの硬判定結果を用いることで、ガード期間長を超える遅延時間のマルチパス干渉をキャンセルする際、キャンセル可能な遅延時間の拡大を実現することができる。
【図面の簡単な説明】
【図１】本発明の実施の形態１におけるＯＦＤＭ信号受信装置中のＯＦＤＭ信号復調部の構成を示すブロック図
【図２】本発明の実施の形態２におけるＯＦＤＭ信号受信装置中のＯＦＤＭ信号復調部の構成を示すブロック図
【図３】本発明の実施の形態３におけるＯＦＤＭ信号受信装置中のＯＦＤＭ信号復調部の構成を示すブロック図
【図４】本発明の実施の形態４におけるＯＦＤＭ信号受信装置中のＯＦＤＭ信号復調部の構成を示すブロック図
【図５】本発明の実施の形態５におけるＯＦＤＭ信号受信装置中のＯＦＤＭ信号復調部の構成を示すブロック図
【図６】本発明の実施の形態６におけるＯＦＤＭ信号受信装置中のＯＦＤＭ信号復調部の構成を示すブロック図
【図７】本発明の実施の形態７におけるＯＦＤＭ信号受信装置中のＯＦＤＭ信号復調部の構成を示すブロック図
【図８】図５及び図６における信頼性算出回路２２２１の第１の内部構成例を示すブロック図
【図９】図５及び図６における信頼性算出回路２２２１の第２の内部構成例を示すブロック図
【図１０】本発明の実施の形態８におけるマルチパス除去装置中のマルチパス等化部の構成を示すブロック図
【図１１】本発明に係るＯＦＤＭ信号受信装置の構成を示すブロック図
【図１２】本発明に係るマルチパス除去装置の構成を示すブロック図
【図１３】図１乃至図７、及び図１０における判定回路及び変調回路２２１７の動作を示す模式図
【図１４】従来のＯＦＤＭ信号受信装置中のＯＦＤＭ信号復調部の第１の構成を示すブロック図
【図１５】従来のＯＦＤＭ信号受信装置中のＯＦＤＭ信号復調部の第２の構成を示すブロック図
【図１６】本発明に係わるパイロット信号配置例を示す模式図
【符号の説明】
１　受信アンテナ
２　ＯＦＤＭ信号受信装置
２１　チューナ
２２　ＯＦＤＭ信号復調部
２３　誤り訂正復号部
２４　情報源復号部
２５　サービス提示部
２２０１　直交復調部
２２０２　減算器
２２０３　ＦＩＲフィルタ
２２０４　ＦＦＴ回路
２２０５　ＳＰ発生回路
２２０６　複素除算回路
２２０７　補間回路
２２０８ａ，２２０８ｂ　ＦＦＴ回路
２２０９　ＳＰ発生回路
２２１０　複素除算回路
２２１１　補間回路
２２１２ａ，２２１２ｂ　残差算出回路
２２１３　ＩＦＦＴ回路
２２１４　係数更新回路
２２１５　複素除算回路
２２１６　判定回路
２２１７　変調回路
２２１８　複素除算回路
２２１９ａ　選択回路
２２１９ｂ　合成回路
２２２０　補間回路
２２２１　信頼性算出回路
２２２１１　減算器
２２２１２　電力算出回路
２２２１３ａ　シンボル内平均回路
２２２１３ｂ　シンボル間平均回路
２２２１４　変換回路
【図１】
2004104558.tif 000019
【図２】
2004104558.tif 000020
【図３】
2004104558.tif 000021
【図４】
2004104558.tif 000022
【図５】
2004104558.tif 000023
【図６】
2004104558.tif 000024
【図７】
2004104558.tif 000025
【図８】
2004104558.tif 000026
【図９】
2004104558.tif 000027
【図１０】
2004104558.tif 000028
【図１１】
2004104558.tif 000029
【図１２】
2004104558.tif 000030
【図１３】
2004104558.tif 000031
【図１４】
2004104558.tif 000032
【図１５】
2004104558.tif 000033
【図１６】
2004104558.tif 000034